(57)【要約】【課題】  複数の色画素に関して色再現困難な状態に対処し、被写体の好適な色再現を実現すること。【解決手段】  本発明の撮像素子は、互いに異なる分光感度特性を有する少なくとも第１の色画素から第３の色画素と、少なくとも第１の色画素から第３の色画素の分光感度特性の線形結合を分光感度特性として有する第４の色画素とを有する。また、本発明の電子カメラは、上述した撮像素子と、撮像素子により生成された画像データを記録する記録部とを備える。なお、撮像素子からの出力をディジタル信号に変換する変換部と、第１の色画素から第３の色画素のうち、何れかの色画素のディジタル信号の信号値が限界値である場合に、周囲の色画素および第４の色画素のディジタル信号の信号値に基づいて推定値を算出する算出部とを備え、記録部は、限界値を推定値に置き換えた画像データを記録しても良い。【選択図】      図１
2009094620.tif 000002
【特許請求の範囲】
【請求項１】
互いに異なる分光感度特性を有する少なくとも第１の色画素から第３の色画素と、前記少なくとも第１の色画素から第３の色画素の分光感度特性の線形結合を分光感度特性として有する第４の色画素とを有する
ことを特徴とする撮像素子。
【請求項２】
請求項１に記載の撮像素子において、
前記第４の色画素の分光感度特性は、前記少なくとも第１の色画素から第３の色画素の分光感度特性の線形結合に１未満の係数を乗じたものに相当する
ことを特徴とする撮像素子。
【請求項３】
請求項１に記載の撮像素子において、
前記第４の色画素の分光感度特性は、前記少なくとも第１の色画素から第３の色画素の分光感度特性の線形結合に１以上の係数を乗じたものに相当する
ことを特徴とする撮像素子。
【請求項４】
請求項１に記載の撮像素子において、
前記少なくとも第１の色画素から第３の色画素と前記第４の色画素とを１つの組み合わせとして、その組み合わせが周期的に配置される
ことを特徴とする撮像素子。
【請求項５】
請求項１に記載の撮像素子と、
前記撮像素子により生成された画像データを記録する記録部と
を備えたことを特徴とする電子カメラ。
【請求項６】
請求項５に記載の電子カメラにおいて、
前記撮像素子からの出力をディジタル信号に変換する変換部と、
前記第１の色画素から前記第３の色画素のうち、何れかの色画素の前記ディジタル信号の信号値が限界値である場合に、周囲の色画素および前記第４の色画素の前記ディジタル信号の信号値に基づいて推定値を算出する算出部とを備え、
前記記録部は、前記限界値を前記推定値に置き換えた前記画像データを記録する
ことを特徴とする電子カメラ。
【請求項７】
請求項５に記載の電子カメラにおいて、
前記撮像素子からの出力をディジタル信号に変換する変換部と、
前記第１の色画素から前記第３の色画素のうち、何れかの色画素の前記ディジタル信号の信号値が限界値である場合に、周囲の色画素および前記第４の色画素の前記ディジタル信号の信号値に基づいて推定値を算出する算出部と、
前記限界値を前記推定値に置き換えた前記画像データに対して画像処理を施す画像処理部とを備え、
前記記録部は、前記画像処理が施された前記画像データを記録する
ことを特徴とする電子カメラ。
【請求項８】
請求項５に記載の電子カメラにおいて、
前記第４の色画素の分光感度特性は、前記少なくとも第１の色画素から第３の色画素の分光感度特性の線形結合に任意の係数を乗じたものに相当し、
前記記録部は、前記画像データと前記係数とを関連付けて記録する
ことを特徴とする電子カメラ。
【請求項９】
請求項１に記載の撮像素子により生成された画像データに対して画像処理を施す画像処理装置であって、
前記画像データを取得する取得部と、
前記第１の色画素から前記第３の色画素のうち、何れかの色画素のディジタル信号の信号値が限界値である場合に、周囲の色画素および前記第４の色画素のディジタル信号の信号値に基づいて推定値を算出する算出部と、
前記限界値を前記推定値に置き換えた前記画像データに対して画像処理を施す画像処理部と、
前記画像処理が施された前記画像データを記録する記録部と
を備えたことを特徴とする画像処理装置。
【請求項１０】
請求項１に記載の撮像素子により生成された画像データに対して画像処理を施す画像処理装置であって、
前記第４の色画素の分光感度特性は、前記少なくとも第１の色画素から第３の色画素の分光感度特性の線形結合に任意の係数を乗じたものに相当し、
前記画像データと前記係数とを取得する取得部と、
前記第１の色画素から前記第３の色画素のうち、何れかの色画素のディジタル信号の信号値が限界値である場合に、周囲の色画素および前記第４の色画素のディジタル信号の信号値と前記係数とに基づいて推定値を算出する算出部と、
前記限界値を前記推定値に置き換えた前記画像データに対して画像処理を施す画像処理部と、
前記画像処理が施された前記画像データを記録する記録部と
を備えたことを特徴とする画像処理装置。
【請求項１１】
請求項１に記載の撮像素子により生成された画像データに対する画像処理をコンピュータで実現するための画像処理プログラムであって、
前記画像データを取得する取得手順と、
前記第１の色画素から前記第３の色画素のうち、何れかの色画素のディジタル信号の信号値が限界値である場合に、周囲の色画素および前記第４の色画素のディジタル信号の信号値に基づいて推定値を算出する算出手順と、
前記限界値を前記推定値に置き換えた前記画像データに対して画像処理を施す画像処理手順と、
前記画像処理が施された前記画像データを記録する記録手順と
を備えたことを特徴とする画像処理プログラム。
【請求項１２】
請求項１に記載の撮像素子により生成された画像データに対する画像処理をコンピュータで実現するための画像処理プログラムであって、
前記第４の色画素の分光感度特性は、前記少なくとも第１の色画素から第３の色画素の分光感度特性の線形結合に任意の係数を乗じたものに相当し、
前記画像データと前記係数とを取得する取得手順と、
前記第１の色画素から前記第３の色画素のうち、何れかの色画素のディジタル信号の信号値が限界値である場合に、周囲の色画素および前記第４の色画素のディジタル信号の信号値と前記係数とに基づいて推定値を算出する算出手順と、
前記限界値を前記推定値に置き換えた前記画像データに対して画像処理を施す画像処理手順と、
前記画像処理が施された前記画像データを記録する記録手順と
を備えたことを特徴とする画像処理プログラム。
【発明の詳細な説明】
【技術分野】
【０００１】
本発明は、撮像素子、その撮像素子を備えた電子カメラ、撮像素子により生成された画像データに対して画像処理を施す画像処理装置、および撮像素子により生成された画像データに対する画像処理をコンピュータで実現するための画像処理プログラムに関する。
【背景技術】
【０００２】
デジタルカメラなどは、多くの場合一画素につき複数の色（例えば、Ｒ，Ｇ，Ｂ）の何れか１つのチャンネルの信号を得ることのできる撮像素子を有する。そして、当該画素以外のチャンネルの信号は周囲の画素の信号に基づいた補間処理によって算出して生成し、一画素につき複数のカラーチャンネルで構成される画像となる。
【０００３】
このような撮像素子から得られる画像信号は、例えば被写体の該当画素部分が高輝度、高彩度であった場合、飽和することにより信号の上限値に制限される場合がある。また、被写体の該当画素部分が低輝度、低彩度であった場合、撮像素子から得られる画像信号が下限値に制限される場合があり、このような場合も階調の不連続性に起因した不具合が起こることがある。このように色再現困難な状態においては、例えば無彩色の被写体を撮影した場合に色づきが生じるといった、階調の不連続性に起因した不具合が起こることがある。
【０００４】
そこで、特許文献１の発明では、ベイヤー配列のうち第１の画素から第３の画素は相異なる３つの相対分光感度特性を有し、第４の画素は上記第１の画素と絶対感度が異なる同一の相対分光感度特性を有する。画素信号が大きい場合は絶対感度の低い方の信号を採用し、画素信号が小さい場合は絶対感度の高い方の信号を採用することにより、色再現困難な状態に対処することができる。
【特許文献１】特開２０００−２５３４１３号公報
【発明の開示】
【発明が解決しようとする課題】
【０００５】
しかし、上述した発明では、例えば第１の画素から第３の画素のカラーをそれぞれＧ，Ｒ，Ｂとし、第４の画素のカラーをＧとする場合、Ｇチャンネルの信号が色再現困難な場合には対処することができるが、ＲチャンネルおよびＢチャンネルについては対処することができない。
【０００６】
本発明は、複数の色画素に関して色再現困難な状態に対処し、被写体の好適な色再現を実現することを目的とする。
【課題を解決するための手段】
【０００７】
本発明の撮像素子は、互いに異なる分光感度特性を有する少なくとも第１の色画素から第３の色画素と、前記少なくとも第１の色画素から第３の色画素の分光感度特性の線形結合を分光感度特性として有する第４の色画素とを有する。
【０００８】
なお、好ましくは、前記第４の色画素の分光感度特性は、前記少なくとも第１の色画素から第３の色画素の分光感度特性の線形結合に１未満の係数を乗じたものに相当しても良い。
【０００９】
また、好ましくは、前記第４の色画素の分光感度特性は、前記少なくとも第１の色画素から第３の色画素の分光感度特性の線形結合に１以上の係数を乗じたものに相当しても良い。
【００１０】
また、好ましくは、前記少なくとも第１の色画素から第３の色画素と前記第４の色画素とを１つの組み合わせとして、その組み合わせが周期的に配置されても良い。
【００１１】
本発明の電子カメラは、上述した何れかの撮像素子と、前記撮像素子により生成された画像データを記録する記録部とを備える。
【００１２】
なお、好ましくは、前記撮像素子からの出力をディジタル信号に変換する変換部と、前記第１の色画素から前記第３の色画素のうち、何れかの色画素の前記ディジタル信号の信号値が限界値である場合に、周囲の色画素および前記第４の色画素の前記ディジタル信号の信号値に基づいて推定値を算出する算出部とを備え、前記記録部は、前記限界値を前記推定値に置き換えた前記画像データを記録する。
【００１３】
また、好ましくは、前記撮像素子からの出力をディジタル信号に変換する変換部と、前記第１の色画素から前記第３の色画素のうち、何れかの色画素の前記ディジタル信号の信号値が限界値である場合に、周囲の色画素および前記第４の色画素の前記ディジタル信号の信号値に基づいて推定値を算出する算出部と、前記限界値を前記推定値に置き換えた前記画像データに対して画像処理を施す画像処理部とを備え、前記記録部は、前記画像処理が施された前記画像データを記録しても良い。
【００１４】
また、好ましくは、前記第４の色画素の分光感度特性は、前記少なくとも第１の色画素から第３の色画素の分光感度特性の線形結合に任意の係数を乗じたものに相当し、前記記録部は、前記画像データと前記係数とを関連付けて記録しても良い。
【００１５】
また、上記発明に関する構成を、上述した撮像素子により生成された画像データに対して画像処理を施す画像処理装置、および上述した撮像素子により生成された画像データに対する画像処理をコンピュータで実現するための画像処理プログラムに変換して表現したものも本発明の具体的態様として有効である。
【発明の効果】
【００１６】
本発明によれば、複数の色画素に関して色再現困難な状態に対処し、被写体の好適な色再現を実現することができる。
【発明を実施するための最良の形態】
【００１７】
以下、本発明の実施形態について説明する。本実施形態では、電子カメラを例に挙げて説明する。
【００１８】
図１は、本発明の実施形態の電子カメラ１の機能ブロック図である。
【００１９】
電子カメラ１は、不図示の撮影レンズ、ＣＣＤ等の撮像素子１０を含む撮像部１１、撮像部１１により生成された画像データに対して画像処理を施す画像処理部１２、画像を表示する液晶モニタなどを備えた表示部１３、画像を記録する記録媒体などからなる記録部１４、各部を制御する制御部１５、不図示のレリーズボタンなどを有し、ユーザ操作を受け付ける操作部１６、コンピュータやプリンタなどの外部機器と相互に接続可能な接続部１７を備える。撮像部１１、画像処理部１２、記録部１４、制御部１５、接続部１７は、バスを介して相互に接続される。また、制御部１５および画像処理部１２の出力は、バスを介して表示部１３にも接続される。また、操作部１６の出力は、制御部１５に接続される。
【００２０】
撮像部１１は、撮影レンズを介した被写体像を撮像素子１０により光電変換し、さらにＡ／Ｄ変換を行って、画像データを出力する。撮像素子１０の詳細は後述する。画像処理部１２は、撮像部１１により取得された画像データに対してホワイトバランス調整、色処理、ガンマ処理などの処理を行う。表示部１３は、画像処理部１２により生成された画像や記録部１４に記録された画像を表示するとともに、構図確認用のスルー画像を表示することにより、ファインダーとしても利用される。制御部１５は、内部にメモリ１８を備え、各部を制御するためのプログラムを予め記憶する。そして、制御部１５は、このプログラムにしたがって各部を制御する。
【００２１】
また、制御部１５は、操作部１６の状態を検知するとともに、接続部１７を介して、接続部１７に接続された外部機器の情報を取得する。
【００２２】
以上説明した構成の電子カメラ１において、操作部１６により撮像指示が行われると、制御部１５はこれを検知し、撮像部１１の撮影レンズを介した被写体像を撮像素子１０により光電変換し、さらにＡ／Ｄ変換を行う。そして、制御部１５は、画像処理部１２を介して、ホワイトバランス調整、色処理、ガンマ処理などの処理を行い、記録部１４に記録する。
【００２３】
図２は、撮像素子１０の画素配列を示す図である。撮像素子１０は、図２に示すように、Ｒ，Ｇ，Ｂ，Ａのチャンネルから構成される。Ｒ，Ｇ，Ｂ，Ａの各チャンネルは、Ｒ，Ｇ，Ｂ，Ａを１つの組み合わせとして、その組み合わせが縦方向および横方向に周期的に配置される。また、Ｒ，Ｇ，Ｂ，Ａのチャンネルは、それぞれＲフィルタ、Ｇフィルタ、Ｂフィルタ、Ａフィルタを有する。以下では、各フィルタを含む各チャンネルを「画素」と称する。
【００２４】
Ａ画素とは、その分光感度がＲ，Ｇ，Ｂの分光感度の線形結合で表される特性を持つ画素である。図３は、撮像素子１０の各画素の分光感度特性を示す図である。図３の横軸は波長を示し、縦軸は各画素の出力を０〜１に正規化した値を示す。
【００２５】
図３に示した各色の画素には、以下の関係が成立する。
【００２６】
ｓＡ（λ）＝ｋ・（ｓＲ（λ）＋ｓＧ（λ）＋ｓＢ（λ））…（式１）
ただし、式１において、ｓＡ（λ）はＡ画素の分光感度を示し、ｓＲ（λ）はＲ画素の分光感度を示し、ｓＧ（λ）はＧ画素の分光感度を示し、ｓＢ（λ）はＢ画素の分光感度を示す。また、式１におけるｋは、撮像素子１０の分光感度に応じて予め定められた係数である。係数ｋは、図３から明らかなように、１未満の値である。
【００２７】
図４は、画像データ取得時の制御部１５の動作を示すフローチャートである。
【００２８】
ステップＳ１において、制御部１５は、撮像部１１を制御して画像データを取得する。撮像部１１は、制御部１５の指示にしたがって、撮影レンズを介した被写体像を撮像素子１０により光電変換し、さらにＡ／Ｄ変換を行って、画像データを出力する。
【００２９】
ステップＳ２において、制御部１５は、ステップＳ１で取得した画像データに関して、信号値が上限値である画素を検出する。例えば撮像部１１におけるＡ／Ｄ変換において、例えば、１２ｂｉｔで量子化する場合、そのデータレンジは０〜４０９５までである。したがって、信号値の上限値は４０９５である。制御部１５は、ステップＳ１で取得した画像データから信号値が上限値（４０９５）である画素を検出する。
【００３０】
ステップＳ３において、制御部１５は、推定値を算出する。制御部１５は、推定値の算出を、ある画素が飽和した場合に、拡張したデータレンジでの信号値を算出することにより行う。上限値は上述したように４０９５であるが、制御部１５は、実際にはどれほどの信号値になるかを推定する。
【００３１】
ここでは、あるＲ画素の信号値が上限値である場合を例に挙げて説明する。また、前述したＲ画素と、周囲のＧ画素、Ｂ画素、Ａ画素とについて、該当被写体部分の分光放射輝度は等しいとする。そして、この分光放射輝度をＣ（λ）とする。このとき、Ｇ画素、Ｂ画素、Ａ画素の信号値をそれぞれＤｇ，Ｄｂ，Ｄａとすると次式で表すことができる。
【００３２】
Ｄｇ＝∫Ｃ（λ）ｓＧ（λ）ｄλ…（式２）
Ｄｂ＝∫Ｃ（λ）ｓＢ（λ）ｄλ…（式３）
Ｄａ＝∫Ｃ（λ）ｓＡ（λ）ｄλ
＝∫［Ｃ（λ）・ｋ・（ｓＲ（λ）＋ｓＧ（λ）＋ｓＢ（λ））］ｄλ…（式４）
また、信号値が上限値であるＲ画素の信号値について、拡張したデータレンジでの信号値である推定値Ｅｒは次式で表すことができる。
【００３３】
Ｅｒ＝∫Ｃ（λ）ｓＲ（λ）ｄλ…（式５）
そして、式５と式４とから、次式を導き出すことができる。
【００３４】
Ｅｒ＝［Ｄａ−∫Ｃ（λ）ｋ・（ｓＧ（λ）＋ｓＢ（λ））ｄλ］／ｋ
＝Ｄａ／ｋ−（Ｄｇ＋Ｄｂ）…（式６）
このように、周囲の画素の信号値であるＤｇおよびＤｂと、分光感度で決定される係数ｋとは既知のデータであるため、推定値Ｅｒを算出することができる。
【００３５】
以上説明した推定値の算出は、Ｇ画素の信号値が上限値である場合の推定値ＥｇおよびＢ画素の信号値が上限値である場合の推定値Ｅｂについても同様である。Ｇ画素の推定値Ｅｇについては、Ｒ画素の信号値とＢ画素の信号値とＡ画素の信号値とから算出することができる。また、Ｂ画素の推定値Ｅｂについては、Ｒ画素の信号値とＧ画素の信号値とＡ画素の信号値とから算出することができる。
【００３６】
ステップＳ４において、制御部１５は、ステップＳ２で検出した画素の上限値を、ステップＳ３で算出した推定値に置き換える。
【００３７】
ステップＳ５において、制御部１５は、ステップＳ１で取得した画像データに上限値である画素が他に存在するか否かを判定する。そして、制御部１５は、上限値である画素が他に存在すると判定すると、ステップＳ２に戻り、次の上限値である画素を検出する。一方、上限値である全ての画素を検出したと判定すると、制御部１５は、ステップＳ６に進む。
【００３８】
ステップＳ６において、制御部１５は、上限値を推定値に置き換えた画像データに対して、画像処理部１２を介して画像処理を施す。制御部１５は、上限値を推定値に置き換えた画像データに対して、ホワイトバランス調整、マトリックス処理、階調変換処理、圧縮処理（例えば、Ｊｐｅｇ圧縮処理など）などを施す。各処理の詳細は、公知技術と同様である。
【００３９】
なお、画像データの保存形式が、上述した各処理を施さないで記録する形式である、いわゆる「ＲＡＷ形式」である場合には、制御部１５は、ステップＳ６の処理を行わずにステップＳ７に進む。
【００４０】
ステップＳ７において、制御部１５は、ステップＳ６において画像処理を施した画像データを記録部１４に記録して一連の処理を終了する。
【００４１】
なお、画像データを記録する際には、ｂｉｔ深度に配慮して記録する。ステップＳ３で算出した推定値は上限値よりも大きい値である。したがって、上限値を推定値に置き換えた画像データを記録する場合、推定値の最大値を表現できるようなｂｉｔ数で記録すると都合が良い。例えばＡ／Ｄ変換のｂｉｔ数が１２ｂｉｔ（０−４０９５）であり、推定値の最大値が６００００である場合を考える。この場合、記録する画像データのｂｉｔ数を１６ｂｉｔとした後に、飽和している画素については上限値から推定値への置き換えを行い、推定値を算出する必要がない画素についても１６ｂｉｔの画像データとして記録すれば良い。
【００４２】
また、ステップＳ４において上限値を推定値に置き換える代わりに、推定値に関する情報をステップＳ１で取得した画像データの付帯情報として記録する構成としても良い。この場合、推定値とその画素のアドレスとを関連付けて付帯情報としても良いし、推定値を算出した順番と推定値とを関連付けて付帯情報としても良い。
【００４３】
＜変形例１＞
本実施形態では、各色成分に対して単一の係数ｋを用いて説明を行ったが、各色成分ごとに係数を持つ構成としても良い。例えば、本実施形態で説明した係数ｋに代えて、Ｒ成分の係数ｋR，Ｇ成分の係数ｋG，Ｂ成分の係数ｋBを持つ場合、上述した式１を次式に置き換えれば良い。
【００４４】
ｓＡ（λ）＝ｋR・ｓＲ（λ）＋ｋG・ｓＧ（λ）＋ｋB・ｓＢ（λ）…（式７）
また、上述した式６を次式に置き換えれば良い。
【００４５】
Ｅｒ＝Ｄａ／ｋR−（ｋG／ｋR・Ｄｇ＋ｋB／ｋR・Ｄｂ）…（式８）
このように、各色成分ごとに係数を持つことにより、複数の色画素ごとの特性に応じて、より柔軟に色再現困難な状態に対処することができる。
【００４６】
＜変形例２＞
本実施形態では、ある画素が飽和した場合に、上限値に対して拡張したデータレンジでの信号値を算出する例を示したが、下限値（本実施形態では「０」のこと）に対して拡張したデータレンジでの信号値を算出する場合にも本発明を適用することができる。この場合、係数ｋを１以上の値とすれば良い。図５は、係数ｋが１以上の値である場合の撮像素子１０の各画素の分光感度特性を示す図である。図５の横軸は波長を示し、縦軸は各画素の出力を０〜１に正規化した値を示す。係数ｋの値は撮像素子の製造段階で決定されるものである。そこで、係数ｋを１未満の値とするか、係数ｋを１以上の値とするかについては、上限値への対処と下限値への対処との何れを優先するかによって決定すれば良い。また、係数ｋの値が１未満である画素と、係数ｋの値が１以上である画素との両方と、Ｒ，Ｇ，Ｂの各画素とを１つの組み合わせとして、その組み合わせを縦方向および横方向に周期的に配置すれば、上限値および下限値の双方に対処することができる。
【００４７】
＜変形例３＞
本実施形態で説明した処理の一部を、外部機器において行う構成としても良い。例えば、接続部１７を介して電子カメラ１とコンピュータとを接続し、コンピュータにおいて上述した図４のフローチャートのステップＳ２以降の処理の一部または全部を行う構成としても良い。この場合、電子カメラ１は、ステップＳ１で取得した画像データと、係数ｋとを関連付けて記録する。一方、コンピュータには図４のフローチャートの処理を実現するためのプログラムを予め記憶しておく。このように構成することにより、コンピュータは、係数ｋに基づいて、図４のフローチャートのステップＳ２以降の処理を行うことができる。なお、コンピュータに、撮像素子１０のＡ画素の分光感度特性を記録しておけば、電子カメラ１から係数ｋを取得する必要はない。また、その他の外部機器として、接続部１７を介して電子カメラ１と接続可能なプリンタなどについても同様である。
【００４８】
以上説明したように、本実施形態の撮像素子および電子カメラによれば、互いに異なる分光感度特性を有する第１の色画素から第３の色画素と、第１の色画素から第３の色画素の分光感度特性の線形結合を分光感度特性として有する第４の色画素とを有する。したがって、この撮像素子により得られた画像データに適当な画像処理を施すことにより、複数の色画素に関して色再現困難な状態に対処し、被写体の好適な色再現を実現することができる。
【００４９】
また、本実施形態の撮像素子によれば、上述した第４の色画素の分光感度特性は、第１の色画素から第３の色画素の分光感度特性の線形結合に１未満の係数を乗じたものに相当する。したがって、第１の色画素から第３の色画素の何れかが飽和しても、第４の画素の出力を利用することにより色再現困難な状態に対処することができる。
【００５０】
また、本実施形態の撮像素子によれば、上述した第４の色画素の分光感度特性は、少なくとも第１の色画素から第３の色画素の分光感度特性の線形結合に１以上の係数を乗じたものに相当する。したがって、第１の色画素から第３の色画素の何れかが下限値となった場合でも、第４の画素の出力を利用することにより色再現困難な状態に対処することができる。
【００５１】
また、本実施形態の撮像素子によれば、第１の色画素から第３の色画素と第４の色画素とを１つの組み合わせとして、その組み合わせが周期的に配置される。したがって、周囲の画素の出力を利用することにより、限界値となった画素に関して好適な色再現を実現することができる。
【００５２】
また、本実施形態の電子カメラによれば、第１の色画素から第３の色画素のうち、何れかの色画素のディジタル信号の信号値が限界値である場合に、周囲の色画素および第４の色画素のディジタル信号の信号値に基づいて推定値を算出する算出部とを備え、記録部は、限界値を推定値に置き換えた画像データを記録する。したがって、複数の色画素に関して色再現困難な状態に対処し、被写体の好適な色再現を実現することができる。
【００５３】
また、本実施形態の電子カメラによれば、限界値を推定値に置き換えた画像データに対して画像処理を施す画像処理部を備え、記録部は、画像処理が施された画像データを記録する。したがって、限界値を推定値に置き換えた好適なデータに対して画像処理を施すことができる。
【００５４】
また、本実施形態の電子カメラによれば、第４の色画素の分光感度特性は、少なくとも第１の色画素から第３の色画素の分光感度特性の線形結合に任意の係数を乗じたものに相当し、記録部は、画像データと係数とを関連付けて記録する。したがって、撮像素子により生成した画像データに対する好適な画像処理をコンピュータで実現することができる。
【００５５】
なお、本実施形態では、図２に示したベイヤー配列に類似した配列を例に挙げて説明したが、本発明はこの例に限定されない。例えば、ストライプ状の配列などの他の配列に類似した配列にも本発明を同様に適用することができる。
【００５６】
また、本実施形態では、Ｒ，Ｇ，Ｂ，Ａ画素を例に挙げて説明したが、他の色成分を有する場合にも本発明を同様に適用することができる。すなわち、互いに異なる分光感度特性を有する複数の色画素と、それらの分光感度特性の線形結合を分光感度特性として有する画素（Ａ画素に相当）とを、撮像素子が有していれば、本発明と同様の効果を得ることができる。さらに、補色フィルタを備えた撮像素子にも本発明を同様に適用することができる。
【００５７】
また、本実施形態の電子カメラ１は、静止画像を撮像する電子カメラでも良いし、動画像を撮像する電子カメラでも良い。さらに、撮像素子１０と同様の撮像素子を備え、画像を生成可能であれば、スキャナなどの入力機器にも本発明を同様に適用することができる。
【図面の簡単な説明】
【００５８】
【図１】本発明の実施形態の電子カメラ１の機能ブロック図である。
【図２】撮像素子１０の画素配列を示す図である。
【図３】係数ｋが１未満の値である場合の撮像素子１０の各画素の分光感度特性を示す図である。
【図４】画像データ取得時の制御部１５の動作を示すフローチャートである。
【図５】係数ｋが１以上の値である場合の撮像素子１０の各画素の分光感度特性を示す図である。
【符号の説明】
【００５９】
１…電子カメラ，１０…撮像素子，１１…撮像部，１２…画像処理部，１４…記録部，１５…制御部，１７…接続部，１８…メモリ
【図１】
2009094620.tif 000003
【図２】
2009094620.tif 000004
【図３】
2009094620.tif 000005
【図４】
2009094620.tif 000006
【図５】
2009094620.tif 000007